(57)【要約】【課題】  従来の複合型の移植ゴテは、小型のもので通常のスコップのような長い柄部は設けられていないので、小型の草花の移植にしか適さなかった。【解決手段】  本発明は、柄部を有する１対のスコップがその柄部に設けられて接続部材によって、刃板が接近離間するよう揺動自在に接続され、前記接続部材は、把持部と刃面との間に設けられており、前記接続部と把持部との間に、一方の柄部と他方の柄部がねじれることを防止する変位防止部材が備えられていることを特徴とするものである。【選択図】図２
2016142123.tif 000002
【特許請求の範囲】
【請求項１】
柄部の一端に把持部が設けられ他端に土砂を保持する刃板が固設されている１対のスコップが、接続部材によって、前記１対の刃板の土砂保持面が相対向して接近離間するよう揺動自在に接続されている複合スコップであって、
前記接続部材は、前記把持部と刃面との間に設けられており、前記接続部と把持部との間に、一方の柄部と他方の柄部が前記揺動方向と交差する方向に相互に変位ことを防止する変位防止部材が備えられていることを特徴とする複合スコップ。
【請求項２】
前記接続部材は、一方の柄部に一端が固設され側方に延出する一方の接続片と、他方の柄部に一端が固設され側方に前記一方の接続片と対向する方向に延出する他方の接続片とが、その自由端部近傍で揺動自在に接続されることによって形成されている請求項１記載の複合スコップ。
【請求項３】
前記一方の接続片と他方の接続片は、相互に着脱可能に接続されている請求項１もしくは２記載の複合スコップ。
【請求項４】
前記一方の接続片の、柄部との固設部から他方の接続片との接続部までの長さは５ｃｍ以上１５ｃｍ以下である請求項１ないし請求項３のいずれか１項に記載の複合スコップ。
【請求項５】
接続部材の上端縁から刃面の先端までの長さは１５ｃｍ以上５０ｃｍ以下である請求項１ないし請求項４のいずれか１項に記載の複合スコップ。
【請求項６】
前記変位防止部材は、一端が一方の柄部に固設され、他端は他方の柄部の方向に延出し当該他方の柄部を側方から摺動自在に挟持するように設けられている請求項１ないし請求項５のいずれか１項に記載の複合スコップ。
【請求項７】
前記変位防止部材の他端は、前記他方の把持部の外形より大きな内径を有する円弧状を呈している請求項６記載の複合スコップ。
【請求項８】
前記柄部は金属製のパイプであって、前記刃板が固設されている部位から前記接続片が固設されている部位の上部まで２重に形成されている請求項１ないし請求項７のいずれか１項に記載の複合スコップ。
【請求項９】
前記柄部は前記刃板が固設されている部位から把持部の方向に直線的に延び、その延長部は内側に折曲され、前記把持部は前記延長部に対して外側に折曲形成されている請求項１ないし請求項８のいずれか１項に記載の複合スコップ。
【発明の詳細な説明】
【技術分野】
【０００１】  本発明は、例えば苗木の移植をする際に、先ず苗木を移植しようとする移植先の土壌に所定の大きさの移植穴を掘削し、次いで現在植えられている苗木をその周囲の土と共に掘出し前記移植穴に移植するためのものである。
【背景技術】
【０００２】  従来、公園などの植物を移植する際には、先ず苗木を移植しようとする土壌に従来周知のスコップによって所定の大きさの移植用の穴を掘削し、次いで現在植えられている苗木を、これまた従来周知のスコップでその周囲の土と共に掘出し、前記移植穴に移植していた。【０００３】  園芸作業において、植物の移植や苗を植え付ける際には、従来周知の移植ゴテを用いるが、この移植ゴテは、柄部を把持し半円筒状のスコップの刃面を土壌に垂直もしくは傾斜さし差し込み、掘削するのに用いられている。【０００４】  例えば、植物を育成地から花壇へ移植する際には、植物の周囲を数回掘削し、植物を土壌と共に掘り起こす。この時作業者は、移植ゴテが植物に干渉し傷つけないよう植物の形状・種類に合わせて掘削している。そして掘り起こした植物ごと、花壇へ移植する。【０００５】  また、鉢植え（ポット植え）された植物を花壇の土壌へ移植する際には、先ず作業者は前記スコップを用いて、移植先の土壌を適切な範囲で掘削する。次いで鉢（ポット）から植物を取り出して掘削した箇所に植物を移植し、必要であれば土を盛る。鉢（ポット）から植物を取り出す方法は前記移植ゴテを用いるほか、作業者が鉢（ポット）を上下逆にして土壌ごと植物を取り出している。【０００６】  しかしながら、土壌を掘削するにあたり、従来の移植ゴテは短く作業姿勢も屈んで腕力のみで土壌に差し込むため相当な労力負担を要する。さらに移植ゴテの形状は、半円形の湾曲した曲面となっているため、掘削土がこぼれやすく、根土ごと移植することが困難である。
そこで、このような課題を解決するものとして、特許文献１に記載のような、一対の刃面が対向する移植ゴテが提案されている。【０００７】
【先行技術文献】
【０００８】
【特許文献１】  特開２０１３−５９２６５号公報
【発明の概要】
【発明が解決しようとする課題】
【０００９】  前述の特許文献１に記載されている移植ゴテは、小型のもので通常のスコップのような長い柄部は設けられていない。
従って極めて少量の花（苗）の移植には適しているが、大量の花（苗）の移植を行うような場合には適していない。もしそのような植物を移植しようとすると、柄部を長いものとしなければならないが、そうすると１対の連結部にねじれ方向の不必要な応力がかかるおそれがあり、破損しやすくなる。この破損を防止するためには前記連結部を堅牢にしなければならず、連結部の大型化、高価格化は免れない。【００１０】  本発明は、上記のような従来の課題に鑑み、スコップを用いて移植を行うような植物についても使用できる、安価で簡便な複合スコップを提供するものである。
【課題を解決するための手段】
【００１１】  （１）本発明の複合スコップは、柄部の一端に把持部が設けられ他端に土砂を保持する刃板が固設されている１対のスコップが、接続部材によって、前記１対の刃板の土砂保持面が相対向して接近離間するよう揺動自在に接続されている複合スコップであって、前記接続部材は、前記把持部と刃面との間に設けられており、前記接続部と把持部との間に、一方の柄部と他方の柄部が前記揺動方向と交差する方向に相互に変位ことを防止する変位防止部材が備えられていることを特徴とするものである。【００１２】  本発明では、接続部材は、把持部と刃面との間に設けられており、前記接続部と把持部との間に、一方の柄部と他方の柄部が前記揺動方向と交差する方向に相互に変位ことを防止する変位防止部材が備えられているので、仮に前記接続部材に、両柄部との間で揺動方向と交差する方向即ちねじれ方向に不必要な応力が加わっても、前記変位防止部材によって変位することはなく、接続部が破損することもない。【００１３】  （２）本発明において、前記接続部材は、一方の柄部に一端が固設され側方に延出する一方の接続片と、他方の柄部に一端が固設され側方に前記一方の接続片と対向する方向に延出する他方の接続片とが、その自由端部近傍で揺動自在に接続されることによって形成されていることが好ましい。
このように構成されていると、１対の刃板の土砂保持面が相対向して容易に接近離間することになる。【００１４】  （３）本発明において、前記一方の接続片と他方の接続片は、相互に着脱可能に接続されていることが好ましい。
このように構成されていると、一方のスコップと他方のスコップを分解し、周知の通常のスコップとしても使用できる。【００１５】  （４）本発明において、前記一方の接続片の、柄部との固設部から他方の接続片との接続部までの長さは５ｃｍ以上１５ｃｍ以下であることが好ましい。
接続片の長さが上記の寸法であると、接続部材の水平方向の長さが１０ｃｍ以上になって、作業者が複合スコップを土壌に差し込む際に、前記接続部材の上面に足先を掛けて、下方に向けて充分に体重を載せて押し込むことができるので、硬い土壌にも対応できる。【００１６】  （５）本発明において、接続部材の上端縁から刃面の先端までの長さは１５ｃｍ以上５０ｃｍ以下であることが好ましい。
接続部材の上端縁から刃面の先端までの長さが上記の寸法であると、前述のように、作業者が足先を前記接続部の上面に掛けて、押し込む際に、力が入れやすくなる。【００１７】  （６）本発明において、前記変位防止部材は、一端が一方の柄部に固設され、他端は他方の柄部の方向に延出し当該他方の柄部を側方から摺動自在に挟持するように設けられていることが好ましい。
このように構成されていると、一方の柄部と他方の柄部が、前記接続部材の部分で揺動方向と交差する方向即ちねじれ方向に不必要な応力が加わっても、一方の柄部と他方の柄部とがねじれることはない。【００１８】  （７）本発明において、前記変位防止部材の他端は、前記他方の把持部の外形より大きな内径を有する円弧状を呈していることが好ましい。
このように構成されていると、一方のスコップと他方のスコップを組み立てる場合や分解する場合、他方の柄部を前記円弧部分から容易に出し入れすることができる。【００１９】  （８）本発明において、前記柄部は金属製のパイプであって、前記刃板が固設されている部位から前記接続片が固設されている部位まで２重に形成されていることが好ましい。
前記刃板が固設されている部位から前記接続片が固設されている部位まで２重に形成されていると、その部分の強度が増加し、作業者が力を入れやすくなる。【００２０】  （９）本発明において、前記柄部は前記刃板が固設されている部位から把持部の方向に直線的に延び、その延長部は若干内側に折曲され、前記把持部は前記延長部に対して外側に直角に折曲形成されていることが好ましい。
【発明の効果】
【００２１】  本発明では、接続部材は、把持部と刃面との間に設けられており、前記接続部と把持部との間に、一方の柄部と他方の柄部が前記揺動方向と交差する方向に相互に変位ことを防止する変位防止部材が備えられているので、仮に前記接続部材に、両柄部との間で揺動方向と交差する方向即ちねじれ方向に不必要な応力が加わっても、前記変位防止部材によって変位することはなく、接続部が破損することもない。
従って大型の植栽を移植する際に、長い柄部を有するスコップを使用することが可能となる。
【図面の簡単な説明】
【００２２】
【図１】本発明の実施形態に係る複合シャベルの外観斜視図である。
【図２】本発明の実施形態に係る複合シャベルの正面図である。
【図３】本発明の実施形態に係る複合シャベルを作業者が使用している状態の外観斜視図である。
【図４】本発明の実施形態に係る変位防止部材の平面図である。
【００２３】  以下、図面を参照しつつ、本発明の実施形態を説明する。【００２４】  これらの図において、先ず右側のシャベルＡについて説明する。
鉄製のパイプにてなる柄部１の下端は、一部圧搾されて扁平化されており、当該扁平部２に鉄製の刃板３の裏面（土砂保持面のは反対側の面）が溶接されている。【００２５】  なお、刃先３は下端部が尖っていて、土砂保持面側は若干内側に湾曲しており、この形状は従来周知の一般的なシャベルと異なるところはない。
前記柄部１の上部は折曲形成され、端部にゴム製のチューブが被着された把持部４が設けられている。【００２６】  接続片５が、前記柄部１の、刃面３の下端部から寸法Ｘだけ上方に離間した位置にその一端が溶接され、その自由端部は側方（概ね水平方向）に延出している（図２参照）。
前記接続片５の自由端部には、後述の蝶ボルト６に螺入されるボルトが挿入される貫通孔が開設され、この貫通孔と前記柄部１の側面との距離は寸法Ｙに設定されている（図３参照）。
上部寸法Ｘは１５ｃｍ〜５０ｃｍ程度で、寸法Ｙは５ｃｍ〜１５ｃｍが適当であるが、この寸法は用途によって適宜変更することができる。【００２７】  なお、柄部１の強度を補強するため、前記刃面３が溶接されている部位から接続片５が溶接されて部位の上部まで、図２に点線で示しているように２重パイプにて形成されている。【００２８】  次に、左側のシャベルＢについて説明する。
この左側のシャベルＢは、右側のシャベルＡと同一寸法、同一形状を呈しており、異なる点は、左側のシャベルＢの前記接続片５の上方に、変位防止部材７が備えられている点と、接続片５に、前記蝶ボルトが螺入されるナットが溶接されている点である。【００２９】  前記変位防止部材７は、図１に示すように直径５ｍｍ程度の鉄線をかぎ孔状に湾曲成形したもので、幅の狭い平行な部分は右側のシャベルＡと前記柄部１の側面が摺動可能な寸法であって、左側端部の内側に、左側のシャベルＢの柄部１を巻き込むように溶接されている。
図４に示すように、前記変位防止部材７の右方向に延在する部分の端部は、右側のシャベルＡの前記把持部４が通過し得る内径、即ち当該把持部４の外形より大きな内径を有する円弧状を呈している。【００３０】  而して、左側のシャベルＢの変位防止部材７の大径部に、下から右側のシャベルＡの把持部４を挿入し、両方のシャベルＡ、Ｂが揺動自在なように、両接続片５の自由端部同士を前記ボルトと蝶ボルト６で締結すると、本発明に係る複合スコップを実現することができる。【００３１】  ここで、両接続片５が接続されることによって、接続部材が形成されることになる。
また、シャベルＡとシャベルＢの接続部材の部分、即ち蝶ボルト６部分で、揺動方向と交差する方向（ねじれ方向）に不必要な応力が加わっても、シャベルＡの柄部１は、シャベルＢに固設されている前記変位防止部材７によって挟持され、シャベルＢの柄部１に対して相対的に変位せず、ねじれることはない。【００３２】  更に、図２に示すように、前記柄部１は、前記刃板３が溶接されている部位から把持部４の方向に直線的に延び、その延長部は若干内側に折曲され、前記把持部４は前記延長部に対して外側に直角に折曲形成されていると、作業者は複合シャベルを扱いやすくなる。【００３３】  次に本発明に係る複合スコップの使用方法について説明する。
植物の移植先に移植穴を掘削する場合、先ず図２に実線で示すように、両スコップＡ、Ｂの把持部４を左右に押し開いて刃面３を対向させて接近させ、その状態で上方から刃面３を土壌の所定位置に差し込む。【００３４】  次いで二点鎖線で示すように、両スコップＡ、Ｂの把持部４を内側に引くと、土壌中で刃面３が相互に離間し、その周りの土砂が排除され、その部分に移植穴が掘削されることになる。【００３５】  なお、上記工程とは逆に、図２の二点鎖線で示す状態即ち両把持部４を接近させて両刃面３が離間した状態で移植先の土壌に差し込み、その状態で両把持部４を押し開いて、両方の刃面３の間でその場の土壌の土を挟みとり、その結果として、移植穴が掘削されるようにしてもよい。【００３６】  前述の様に、移植先の土壌に移植穴を掘削した後、図２の二点鎖線で示す状態、即ち両把持部４を接近させて両刃面３が離間した状態で、移植しようとする植物の周囲に差し込み、その状態で両把持部４を押し開いて、両方の刃面３の間でその植物を土が付着した根ごと掴み取り、前記移植先の穴に投入すると、移植作業は完了する。【００３７】  複合スコップを土壌に差し込む際に、作業者は、図３に示すように前記接続片５が接続されて形成された接続部材の上面に足先を掛けて、下方に向けて充分に体重を載せて押し込むと、硬い土壌にも対応できる。
また、前記一方の接続片５と他方の接続片５は、相互に着脱可能に蝶ボルト６で接続されているので、スコップＡとスコップＢを分解し、周知の１本のスコップとしても使用できる。
【符号の説明】
【００３８】Ａ  スコップ
Ｂ  スコップ
１  柄部
２  扁平部
３  刃面
４  把持部
５  接続片
６  蝶ボルト
７  変位防止部材
【図１】
2016142123.tif 000003
【図２】
2016142123.tif 000004
【図３】
2016142123.tif 000005
【図４】
2016142123.tif 000006